(57)【要約】【課題】車両室内の空間の圧迫が軽減される照明ユニットを提供する。【解決手段】照明ユニットとしてのオーバーヘッドユニット１のスイッチ３を、押圧部２４を有する表シートと、押圧部２４の押圧移動に伴って変位する可動側の接点と、固定側の接点を有する回路体と、一又は複数のスペーサシートとを備えて構成する。また、スイッチ３を薄型のシート状に形成する。照明部２に凹部１２を形成し、その凹部１２にスイッチ３を取り付ける。照明部２の発光体としてＬＥＤ１５を採用する。その他、照明部２に対して取り付けられる薄型シート状のオプションスイッチを更に備えて構成する。【選択図】    図１
2004276876.tif 000002
【特許請求の範囲】
【請求項１】
照明部と該照明部をオンオフするためのスイッチとを備えて構成される車両室内用の照明ユニットであって、
前記スイッチを、押圧部を有する表シートと、前記押圧部の押圧移動に伴って変位する可動側の接点と、該可動側の接点に対向して接触し合う固定側の接点を有する回路体と、前記表シートと前記回路体との間に介在するとともに前記可動側の接点と前記固定側の接点との接触を確保するための貫通孔を形成した一又は複数のスペーサシートとを備えて構成するとともに、全体を薄型のシート状に形成した
ことを特徴とする照明ユニット。
【請求項２】
請求項１に記載の照明ユニットにおいて、
前記照明部に凹部を形成し、該凹部に前記スイッチを取り付けた
ことを特徴とする照明ユニット。
【請求項３】
請求項１又は請求項２に記載の照明ユニットにおいて、
前記照明部の回路基板の一部に前記回路体を組み込んで一体化構造とした
ことを特徴とする照明ユニット。
【請求項４】
請求項１ないし請求項３いずれか記載の照明ユニットにおいて、
前記照明部に対して取り付けられる薄型シート状のオプションスイッチを更に備えて構成した
ことを特徴とする照明ユニット。
【請求項５】
請求項４に記載の照明ユニットにおいて、
前記オプションスイッチを、押圧部を有するオプション用表シートと、前記押圧部の押圧移動に伴って変位する可動側の接点と、該可動側の接点に対向して接触し合う固定側の接点及び外部接続手段を有するオプション用回路体と、前記オプション用表シートと前記オプション用回路体との間に介在するとともに前記可動側の接点と前記固定側の接点との接触を確保するための貫通孔を形成した一又は複数のオプション用スペーサシートと、取り付け固定のためのオプション用固定手段とを備えて構成した
ことを特徴とする照明ユニット。
【請求項６】
請求項４又は請求項５に記載の照明ユニットにおいて、
前記照明部を構成するレンズに前記オプションスイッチを取り付け固定した
ことを特徴とする照明ユニット。
【請求項７】
請求項４又は請求項５に記載の照明ユニットにおいて、
前記照明部を構成するレンズの周辺部分に前記オプションスイッチを取り付け固定した
ことを特徴とする照明ユニット。
【請求項８】
請求項４ないし請求項７いずれか記載の照明ユニットにおいて、
前記オプションスイッチに、機能の作動状況を表示するための表示手段を一体的に設けた
ことを特徴とする照明ユニット。
【請求項９】
請求項４ないし請求項８いずれか記載の照明ユニットにおいて、
前記オプションスイッチを、必要に応じて後付けすることが可能な構造に構成した
ことを特徴とする照明ユニット。
【請求項１０】
請求項１ないし請求項３いずれか記載の照明ユニットにおいて、
前記照明部の近傍に設けられるコンソールボックスと、該コンソールボックスの開閉扉に対して取り付けられる薄型シート状の開閉扉用オプションスイッチとを更に備えて構成した
ことを特徴とする照明ユニット。
【請求項１１】
請求項１０に記載の照明ユニットにおいて、
前記開閉扉用オプションスイッチを、押圧部を有する開閉扉用表シートと、前記押圧部の押圧移動に伴って変位する可動側の接点と、該可動側の接点に対向して接触し合う固定側の接点及び外部接続手段を有する開閉扉用回路体と、前記開閉扉用表シートと前記開閉扉用回路体との間に介在するとともに前記可動側の接点と前記固定側の接点との接触を確保するための貫通孔を形成した一又は複数の開閉扉用スペーサシートと、取り付け固定のための開閉扉用固定手段とを備えて構成した
ことを特徴とする照明ユニット。
【請求項１２】
請求項１１に記載の照明ユニットにおいて、
前記開閉扉用オプションスイッチを、前記開閉扉の扉開時のみの操作が可能となる隠れスイッチタイプにした
ことを特徴とする照明ユニット。
【請求項１３】
請求項１０ないし請求項１２いずれか記載の照明ユニットにおいて、
前記開閉扉用オプションスイッチを、必要に応じて後付けすることが可能な構造に構成した
ことを特徴とする照明ユニット。
【請求項１４】
請求項１ないし請求項１３いずれか記載の照明ユニットにおいて、
前記照明部の発光体にＬＥＤを採用した
ことを特徴とする照明ユニット。
【発明の詳細な説明】
【０００１  】
【発明の属する技術分野】
本発明は、照明部とその照明部をオンオフするためのスイッチとを備えて構成される車両室内用の照明ユニットに関する。
【０００２  】
【従来の技術】
車両室内には、各種の照明ユニットが配設されている。すなわち、天井前方にはオーバーヘッドユニットが配設され、天井中央には室内灯が配設され、天井後方には後部座席用の読書灯が配設されている。以下、上記オーバーヘッドユニットを一例に挙げて説明する（例えば特許文献１参照）。
【０００３  】
図１５において、オーバーヘッドユニット２０１は、車両室内の天井２０２に対して下向きに取り付けられている。オーバーヘッドユニット２０１の筐体２０３には、ルームランプ及びマップランプ両用のレンズ２０４、コンソールボックス２０５、及びスイッチ類等が設けられている。そのスイッチ類としては、ルームランプ用スイッチ２０６、マップランプ用スイッチ２０７、２０７、サンルーフ開閉用スイッチ２０８、サンルーフチルト用スイッチ２０９が挙げられ、これらがレンズ２０４の周辺にそれぞれ配設されている。
【０００４  】
図１６は図１５のオーバーヘッドユニット２０１に対してガレージドアオープナー用スイッチ２１０、侵入センサ用マイク２１１、音声認識用マイク２１２等のスイッチ類を更に付加したオーバーヘッドユニット２１３を示している。そのオーバーヘッドユニット２１３は、上記スイッチ類を付加することによって筐体２１４の意匠部分とレンズ２１５の面積とが図１５と比べて外観的に異なっている。
【０００５  】
このようなオーバーヘッドユニット２１３は、図１７（ａ）〜（ｃ）に示されるような内部構造を有しており、プリント配線基板２１６上には、上記スイッチ類が設けられている。上記スイッチ類は、筐体２１４の表面から突出するような構造になっている。一方、プリント配線基板２１６上であってレンズ２１５の内側には、発光体としてのバルブ（電球）２１７が複数設けられている。
【０００６  】
尚、図１６のようなスイッチ類の付加に対して容易に対応することができるような構造のオーバーヘッドユニット２１８も知られている（例えば特許文献２参照）。
【０００７  】
図１８において、上記オーバーヘッドユニット２１８は、一対のレンズ２１９、２１９を有しており、これらレンズ２１９、２１９の間のスイッチ部２２０を操作することによってバルブ（電球）２２１、２２１（一方のみ図示）が発光するような構成になっている。レンズ２１９、２１９が固定される筐体２２２には、コンソールボックス２２３が設けられている。また、筐体２２２には、引用符号２２４、２２４で示されるようなオプション部材も設けられている。そのオプション部材２２４、２２４は、スイッチ類の付加に対応するために設けられている。
【０００８  】
【特許文献１】
特開２０００−２７２４０９号公報  （第２−３頁、第１−４図）
【特許文献２】
特開２００１−１７１４３０号公報  （第３頁、第１図）
【０００９  】
【発明が解決しようとする課題】
ところで、上記従来の照明ユニットにあっては、上記スイッチ類の構造及び構成からも分かるように、ユニット自体の厚みが厚くなってしまうことから（照明部分で例えば４５ｍｍ、コンソールボックス部分で例えば７５ｍｍ）、天井２０２のライナー部を突出させて収納しなければならず、車両室内の空間が圧迫されてしまうという問題点を有している。
【００１０  】
また、スイッチ類を付加するような機能の増加に伴って、意匠部及び機能部を全面的に変更しなければならず（オーバーヘッドユニット２１８のオプション部材２２４は有用であるが、機能増加に対して十分に対処することができない）、付加する数だけ品番（品種）が増加してしまうという問題点と、その品番増加に伴う部品の管理が煩雑になってしまうという問題点とを有している。
【００１１  】
本発明は、上述した事情に鑑みてなされるもので、車両室内空間の圧迫が軽減される照明ユニットを提供することを課題とする。また、機能増加の際の意匠部及び機能部の変更が低減される照明ユニットを提供することを課題とする。
【００１２  】
【課題を解決するための手段】
上記課題を解決するためなされた請求項１記載の本発明の照明ユニットは、照明部と該照明部をオンオフするためのスイッチとを備えて構成される車両室内用の照明ユニットであって、前記スイッチを、押圧部を有する表シートと、前記押圧部の押圧移動に伴って変位する可動側の接点と、該可動側の接点に対向して接触し合う固定側の接点を有する回路体と、前記表シートと前記回路体との間に介在するとともに前記可動側の接点と前記固定側の接点との接触を確保するための貫通孔を形成した一又は複数のスペーサシートとを備えて構成するとともに、全体を薄型のシート状に形成したことを特徴としている。
【００１３  】
請求項２記載の本発明の照明ユニットは、請求項１に記載の照明ユニットにおいて、前記照明部に凹部を形成し、該凹部に前記スイッチを取り付けたことを特徴としている。
【００１４  】
請求項３記載の本発明の照明ユニットは、請求項１又は請求項２に記載の照明ユニットにおいて、前記照明部の回路基板の一部に前記回路体を組み込んで一体化構造としたことを特徴としている。
【００１５  】
請求項４記載の本発明の照明ユニットは、請求項１ないし請求項３いずれか記載の照明ユニットにおいて、前記照明部に対して取り付けられる薄型シート状のオプションスイッチを更に備えて構成したことを特徴としている。
【００１６  】
請求項５記載の本発明の照明ユニットは、請求項４に記載の照明ユニットにおいて、前記オプションスイッチを、押圧部を有するオプション用表シートと、前記押圧部の押圧移動に伴って変位する可動側の接点と、該可動側の接点に対向して接触し合う固定側の接点及び外部接続手段を有するオプション用回路体と、前記オプション用表シートと前記オプション用回路体との間に介在するとともに前記可動側の接点と前記固定側の接点との接触を確保するための貫通孔を形成した一又は複数のオプション用スペーサシートと、取り付け固定のためのオプション用固定手段とを備えて構成したことを特徴としている。
【００１７  】
請求項６記載の本発明の照明ユニットは、請求項４又は請求項５に記載の照明ユニットにおいて、前記照明部を構成するレンズに前記オプションスイッチを取り付け固定したことを特徴としている。
【００１８  】
請求項７記載の本発明の照明ユニットは、請求項４又は請求項５に記載の照明ユニットにおいて、前記照明部を構成するレンズの周辺部分に前記オプションスイッチを取り付け固定したことを特徴としている。
【００１９  】
請求項８記載の本発明の照明ユニットは、請求項４ないし請求項７いずれか記載の照明ユニットにおいて、前記オプションスイッチに、機能の作動状況を表示するための表示手段を一体的に設けたことを特徴としている。
【００２０  】
請求項９記載の本発明の照明ユニットは、請求項４ないし請求項８いずれか記載の照明ユニットにおいて、前記オプションスイッチを、必要に応じて後付けすることが可能な構造に構成したことを特徴としている。
【００２１  】
請求項１０記載の本発明の照明ユニットは、請求項１ないし請求項３いずれか記載の照明ユニットにおいて、前記照明部の近傍に設けられるコンソールボックスと、該コンソールボックスの開閉扉に対して取り付けられる薄型シート状の開閉扉用オプションスイッチとを更に備えて構成したことを特徴としている。
【００２２  】
請求項１１記載の本発明の照明ユニットは、請求項１０に記載の照明ユニットにおいて、前記開閉扉用オプションスイッチを、押圧部を有する開閉扉用表シートと、前記押圧部の押圧移動に伴って変位する可動側の接点と、該可動側の接点に対向して接触し合う固定側の接点及び外部接続手段を有する開閉扉用回路体と、前記開閉扉用表シートと前記開閉扉用回路体との間に介在するとともに前記可動側の接点と前記固定側の接点との接触を確保するための貫通孔を形成した一又は複数の開閉扉用スペーサシートと、取り付け固定のための開閉扉用固定手段とを備えて構成したことを特徴としている。
【００２３  】
請求項１２記載の本発明の照明ユニットは、請求項１１に記載の照明ユニットにおいて、前記開閉扉用オプションスイッチを、前記開閉扉の扉開時のみの操作が可能となる隠れスイッチタイプにしたことを特徴としている。
【００２４  】
請求項１３記載の本発明の照明ユニットは、請求項１０ないし請求項１２いずれか記載の照明ユニットにおいて、前記開閉扉用オプションスイッチを、必要に応じて後付けすることが可能な構造に構成したことを特徴としている。
【００２５  】
請求項１４記載の本発明の照明ユニットは、請求項１ないし請求項１３いずれか記載の照明ユニットにおいて、前記照明部の発光体にＬＥＤを採用したことを特徴としている。
【００２６  】
請求項１に記載された本発明によれば、照明部をオンオフするためのスイッチが薄型のシート状に形成される。そのスイッチを薄型シート状にするためには、押圧部を有する表シートと、可動側の接点と、固定側の接点を有する回路体と、一又は複数のスペーサシートとを備えて構成することがよい。このような薄型シート状のスイッチを用いることにより、スイッチの構造及び構成が要因となってユニット自体が厚くなることはない。
【００２７  】
請求項２に記載された本発明によれば、照明部の凹部にスイッチが取り付けられる。スイッチは、上述の如く薄型のシート状であり、そのスイッチが凹部に取り付けられることから、ユニット自体がより一層薄型になる。
【００２８  】
請求項３に記載された本発明によれば、照明部の回路基板の一部にスイッチの回路体が組み込まれる。すなわち、照明部の回路基板とスイッチの回路体とが一体化される。このように一体化された構造になることから、ユニットを構成する部品の数が削減される。また、部品数の削減に伴って部品の管理も容易になる。
【００２９  】
請求項４に記載された本発明によれば、オプションスイッチを更に備えた照明ユニットになる。オプションスイッチを更に備えることにより、機能の増加を図ることが可能になる。尚、そのオプションスイッチは、照明部に対して取り付けられるものであるが、ユニット自体の厚みに対して配慮がなされた構造を有する。すなわち、オプションスイッチは、薄型シート状のものであり、機能の増加に伴う厚み等の影響を軽減することが可能になる。
【００３０  】
請求項５に記載された本発明によれば、オプションスイッチを薄型のシート状にするためには、押圧部を有するオプション用表シートと、可動側の接点と、固定側の接点及び外部接続手段を有するオプション用回路体と、一又は複数のオプション用スペーサシートと、取り付け固定のためのオプション用固定手段とを備えて構成することがよい。このような薄型シート状のオプションスイッチを用いることにより、オプションスイッチの構造及び構成が要因となってユニット自体が厚くなることはない。
【００３１  】
請求項６に記載された本発明によれば、照明部を構成するレンズにオプションスイッチが取り付け固定される。オプションスイッチは、上述の如く薄型シート状であることから、機能の増加を図るために、このような位置に取り付け固定することが可能になる。
【００３２  】
請求項７に記載された本発明によれば、照明部を構成するレンズの周辺部分にオプションスイッチが取り付け固定される。オプションスイッチは、上述の如く薄型シート状であることから、機能の増加を図るために、このような位置に取り付け固定することが可能になる。
【００３３  】
請求項８に記載された本発明によれば、表示手段が一体的に設けられたオプションスイッチになる。表示手段は、機能の作動状況を表示するためのものであって、このような表示手段を設けることにより、機能の作動状況が分かり易くなることから、乗員への配慮が一層高まる。
【００３４  】
請求項９に記載された本発明によれば、オプションスイッチが必要に応じて照明部に対し後付けされる。このような後付け可能なオプションスイッチを用いることから、機能増加の際の意匠部及び機能部の変更が低減される。
【００３５  】
請求項１０に記載された本発明によれば、開閉扉用オプションスイッチを更に備えた照明ユニットになる。開閉扉用オプションスイッチを更に備えることにより、機能の増加を図ることが可能になる。その開閉扉用オプションスイッチは、コンソールボックスの開閉扉に対して取り付けられるものであって、ユニット自体の厚みに対して配慮がなされた構造を有する。すなわち、開閉扉用オプションスイッチは、薄型シート状のものであり、機能の増加に伴う厚み等の影響を軽減することが可能になる。
【００３６  】
請求項１１に記載された本発明によれば、開閉扉用オプションスイッチを薄型のシート状にするためには、押圧部を有する開閉扉用表シートと、可動側の接点と、固定側の接点及び外部接続手段を有する開閉扉用回路体と、一又は複数の開閉扉用スペーサシートと、取り付け固定のための開閉扉用固定手段とを備えて構成することがよい。このような薄型シート状の開閉扉用オプションスイッチを用いることにより、開閉扉用オプションスイッチの構造及び構成が要因となってユニット自体が厚くなることはない。
【００３７  】
請求項１２に記載された本発明によれば、開閉扉の扉開時に開閉扉用オプションスイッチの操作が可能になる。このような開閉扉用オプションスイッチは、隠れスイッチタイプであり、機能の増加に伴う例えば使用頻度の低いスイッチに対して特に有用なものになる。
【００３８  】
請求項１３に記載された本発明によれば、開閉扉用オプションスイッチが必要に応じてコンソールボックスの開閉扉に対し後付けされる。このような後付け可能な開閉扉用オプションスイッチを用いることから、機能増加の際の意匠部及び機能部の変更が低減される。
【００３９  】
請求項１４に記載された本発明によれば、照明部の発光体としてＬＥＤ（発光ダイオード）が採用される。発光体としてＬＥＤが採用されることにより、照明部の薄型化が図られ、ユニット自体の厚みがより一層薄くなる。
【００４０  】
【発明の実施の形態】
以下、図面を参照して本発明の実施の形態を説明する。
図１及び図２は本発明の照明ユニットの一実施の形態を示すオーバーヘッドユニット（標準グレード及びＨｉグレード）の斜視図である。また、図３は図２のオプションスイッチのバリエーションに対する説明図、図４は図２のＡ−Ａ線断面図である。さらに、図５及び図６はスイッチ及びオプションスイッチの断面図、図７はオプションスイッチの外部接続手段に対する説明図である。
【００４１  】
本発明の照明ユニットとして、車両室内における天井前方のオーバーヘッドユニット、天井中央の室内灯、天井後方の読書灯などを対象にするものとする（天井部分に限定するものではない）。尚、発明の実施の形態の欄では、上記オーバーヘッドユニットを一例に挙げて説明するものとする。
【００４２  】
図１において、引用符号１は標準グレードの車両に取り付けられるオーバーヘッドユニットを示している。そのオーバーヘッドユニット１は、照明部２とスイッチ３とコンソールボックス４とを備えて構成されており（コンソールボックス４の設定は任意であるものとする）、車両室内のルーフライナー部５の前方において下向きに取り付けられている。
【００４３  】
このようなオーバーヘッドユニット１に対して、図２の引用符号１′は、Ｈｉグレードの車両に取り付けられるオーバーヘッドユニットを示している。そのオーバーヘッドユニット１′は、図１のオーバーヘッドユニット１に対してオプションスイッチ６又は６′（図３参照）を更に備えて構成されている。尚、オプションスイッチ６又は６′は、Ｈｉグレードの車両用としてはじめから取り付けられる他に、必要（機能の付加）に応じて図１のオーバーヘッドユニット１に対し後付けされるものであってもよいものとする。
【００４４  】
図２のオーバーヘッドユニット１′は、上述の如く、図１のオーバーヘッドユニット１の構成を含んでいることから、以下では図２のオーバーヘッドユニット１′について、図１ないし図７を参照しながら説明する。
【００４５  】
上記照明部２は、筐体７とレンズ８と回路基板９とを備えて構成されている。また、照明部２は、コンソールボックス４よりもフロントガラスから離れた位置に配設されている。
【００４６  】
筐体７は、枠状に形成されている。すなわち、筐体７は、レンズ８及びコンソールボックス４を取り付けるために枠状に形成されている。また、筐体７は、その筐体枠表面１０がルーフライナー部５の湾曲状態に沿うように湾曲形成されている。このような筐体７の外周縁部には、ルーフライナー部５の取り付け開口縁部に対して係止される係止固定部１１が複数形成されている。その係止固定部１１は、本形態において、既知の可撓係止片のような形状に形成されている。オーバーヘッドユニット１′は、係止固定部１１によりルーフライナー部５に固定されるようになっている。
【００４７  】
レンズ８は、光透過性を有する透明な部材であって、筐体７の所定位置に固定されている。また、レンズ８は、ルームランプ及びマップランプ両用のレンズとして設定されている。このようなレンズ８には、二つの凹部１２及び１３が形成されている。
【００４８  】
凹部１２は、特許請求の範囲に記載した凹部に相当する部分であって、レンズ８の中央、且つコンソールボックス４に近い側に形成されている。凹部１２は、回路基板９に向けて凹んでおり、本形態においては、底なし形状となるように形成されている。また、凹部１２は、その周壁の先端が回路基板９まで伸びるように形成されている。
【００４９  】
尚、凹部１２は、本形態のような底なし形状に限定されないものとする。すなわち、貫通孔を設けて後述するスペーサシートの機能を持たせるようにすれば、有底の形状に形成してもよいものとする。また、スイッチ３にオプションスイッチ６のような後述する外部接続手段を設けるようにすれば、同様に有底の形状に形成してもよいものとする。
【００５０  】
凹部１３は、凹部１２の左右両側に跨って形成されている。また、凹部１３は、オプションスイッチ６又は６′の厚みに合わせて浅底形状に形成されている。凹部１３は、スイッチ６又は６′の側面を隠すために形成されている（凹部１３の設定は任意であるものとする）。このような凹部１３の底面（例えば凹部１２とコンソールボックス４との間の部分）には、オプションスイッチ６又は６′の後述する外部接続手段に対する引き出し用の貫通孔１４が形成されている。凹部１３の底面には、オプションスイッチ６又は６′が固定されるようになっている。
【００５１  】
回路基板９は、適宜間隔を有してレンズ８に対向するように配置されている。また、回路基板９は、筐体７の所定位置に固定されている。このような回路基板９の上には、特に図示しないが、所望の経路となる電気回路がプリント等によって形成されている。また、回路基板９の上には、上記電気回路に接続される三つのＬＥＤ（発光ダイオード）１５が設けられている。そのＬＥＤ１５は、適宜間隔を有して左右方向に並んで配設されている。回路基板９は、本形態において、スイッチ３の後述する回路体を一体に組み込んだものとして設定されている。
【００５２  】
尚、ＬＥＤ１５に替えて従来同様のバルブ（電球）を採用してもよいものとする。但し、ＬＥＤ１５の方がバルブ（電球）よりも照明部２を薄型にすることができるという利点を有している。
【００５３  】
回路基板９の上面又は下面には、図示しないルーフワイヤハーネスから分岐された分岐ハーネス１６が接続されている。回路基板９は、分岐ハーネス１６等を介して電源の供給や信号の送受がなされるようになっている。また、回路基板９の下面には、オプションスイッチ６又は６′の後述する外部接続手段に対する接続用のコネクタ１７（図７参照）が設けられている。そのコネクタ１７は、上記電気回路に接続されている。また、コネクタ１７は、オプションスイッチ６又は６′の取り付け位置に合わせて配設されている。
【００５４  】
上記スイッチ３は、照明部２のレンズ８に形成された凹部１２に取り付けられている。また、スイッチ３は、表シート１８と、可動側の接点１９と、スペーサシート２０と、固定側の接点２１を有する回路体２２と、複数の接着層２３と、を備えて薄型のシート状に形成されている（図５（ａ）参照）。本形態のスイッチ３は、ドームスイッチとして形成されている。
【００５５  】
表シート１８は、例えばポリエチレンテレフタレート（ＰＥＴ）又はポリエチレンナフタレート（ＰＥＮ）からなる合成樹脂製のシート部材であって、熱プレスを施すことにより複数の押圧部２４が形成されている。その押圧部２４は、表シート１８の外面側に突出するとともに内面側に反転可能なドーム形状に形成されており、押圧部２４における上記内面には、上記回路体２２に対する可動側の接点１９が設けられている。可動側の接点１９は、カーボン等からなり上記内面の頂部に例えば印刷によって設けられている。押圧部２４は、適宜間隔を有して左右方向に並んで三つ形成されており、中央がルームランプ用の押圧部２４、左右二つがマップランプ用の押圧部２４、２４として設定されている。
【００５６  】
表シート１８は、上記材質であることから元々透明であって、本形態においては、その内面又は外面に意匠部が印刷等によって形成されている。
【００５７  】
スペーサシート２０は、例えばポリエチレンテレフタレート（ＰＥＴ）又はポリエチレンナフタレート（ＰＥＮ）からなる合成樹脂製のシート部材であって、表シート１８の変形防止と、押圧部２４の反転の際の空気抜きと、押圧部２４のストローク寸法確保とを実現するために設けられている。スペーサシート２０の表裏面には、既知の上記接着層２３がそれぞれ設けられており、表シート１８と回路体２２とを各々上記表裏面に固定することができるようになっている。
【００５８  】
スペーサシート２０は、押圧部２４の位置に対応して形成された貫通孔２５と、図示しない空気逃がし部とを有しており、貫通孔２５には、反転させた押圧部２４が挿通されるようになっている。貫通孔２５は、押圧部２４の直径よりも大きな直径を有するように形成されている（押圧部２４の直径と同じであってもよいものとする）。
【００５９  】
回路体２２は、上記回路基板９の一部に組み込まれている（照明部２の回路基板９とスイッチ３の回路体２２とが一体化されている）。回路体２２のスペーサシート２０側には、可動側の接点１９が接触する固定側の接点２１が設けられている。回路体２２には、所望のパターンに配索された図示しないスイッチ回路が形成されている。
【００６０  】
上記構成において、スイッチ３は次のように組み立てられる。先ず、表シート１８をスペーサシート２０の表面に接着固定する。次に、そのスペーサシート２０の裏面と回路体２２の表面とを接着固定することにより組み立てられる。そして、このように組み立てられたスイッチ３は、次のように作用する（作用図面は省略する）。
【００６１  】
スイッチ操作前となる押圧部２４に荷重が掛かっていない状態では、押圧部２４自体の保形性によって、その形状が保持された状態にある。そして、スイッチ操作がなされ、押圧部２４がスイッチ操作をする者の指２６により矢線方向に押圧されると（下方向に荷重を掛ける押圧操作）、押圧部２４が指２６の押圧による荷重に抗しながら、ある荷重を境にして座屈し反転する（この時、クリック感が生じる）。押圧部２４が座屈、反転すると下方向の荷重が減少し、押圧部２４の押圧がスムーズに進行する。反転した押圧部２４は更に押し込まれてスペーサシート２０の貫通孔２５に挿通され、押圧部２４に設けられた可動側の接点１９が貫通孔２５を介して回路体２２の固定側の接点２１に接触する。
【００６２  】
これにより、回路体２２の図示しないスイッチ回路が導通状態となり、スイッチ３はＯＮされる（ＬＥＤ１５が発光する）。一方、指２６が離され下方向の荷重が解除されると、押圧部２４はもとの状態に復帰する。その後、上記の操作が再度行われると、これに伴って導通状態が解除され、スイッチ３はＯＦＦされる（ＬＥＤ１５の発光状態が解除される）。
【００６３  】
上記オプションスイッチ６又は６′は、照明部２のレンズ８に形成された凹部１３に取り付けられている（図３中の仮想線で囲まれたエリアＥ１が取り付け位置になる）。また、オプションスイッチ６又は６′は、オプション用表シート２７と、可動側の接点２８と、オプション用スペーサシート２９と、固定側の接点３０及び外部接続手段３１（図３参照）を有するオプション用回路体３２と、複数の接着層３３と、オプション用固定手段３４と、を備えて薄型のシート状に形成されている（図５（ｂ）参照）。本形態のオプションスイッチ６又は６′は、ドームスイッチとして形成されている。
【００６４  】
オプション用表シート２７は、スイッチ３の表シート１８と同様の合成樹脂製のシート部材であって、一対のスイッチ操作部３５、３５と、これらをつなぐブリッジ部３６とを有している（図３参照。スイッチ３の左右両側に取り付けるために、ここではこのような形状に形成される）。スイッチ操作部３５、３５には、ドーム形状の押圧部３７が複数形成されている。押圧部３７の内面には、上記オプション用回路体３２に対する可動側の接点２８が設けられている。可動側の接点２８は、カーボン等からなり上記内面の頂部に例えば印刷によって設けられている。オプション用表シート２７の内面又は外面には、意匠部が印刷等によって形成されている。
【００６５  】
オプション用スペーサシート２９は、スイッチ３のスペーサシート２０と同様の合成樹脂製のシート部材であって、オプション用表シート２７の形状に合わせて形成されている。オプション用スペーサシート２９は、オプション用表シート２７の変形防止と、押圧部３７の反転の際の空気抜きと、押圧部３７のストローク寸法確保とを実現するために設けられている。オプション用スペーサシート２９の表裏面には、既知の上記接着層３３がそれぞれ設けられており、オプション用表シート２７とオプション用回路体３２とを各々上記表裏面に固定することができるようになっている。
【００６６  】
オプション用スペーサシート２９は、押圧部３７の位置に対応して形成された貫通孔３８と、図示しない空気逃がし部とを有しており、貫通孔３８には、反転させた押圧部３７が挿通されるようになっている。貫通孔３８は、押圧部３７の直径よりも大きな直径を有するように形成されている（押圧部３７の直径と同じであってもよいものとする）。
【００６７  】
オプション用回路体３２は、例えばＦＰＣ（フレキシブル・プリント・サーキット）により形成されている。また、オプション用回路体３２は、所望のパターンに配索された図示しないスイッチ回路を有する回路体本体３９と、外部との電気的な接続に用いられる上記外部接続手段３１とを備えて構成されている。
【００６８  】
回路体本体３９のオプション用スペーサシート２９側には、上記可動側の接点２８が接触する固定側の接点３０が設けられている。外部接続手段３１は、回路体本体３９から引き出される結線回路部４０と、その結線回路部４０の先端部分に設けられるコネクタ４１とを備えて構成されている。
【００６９  】
オプション用固定手段３４は、オプションスイッチ６又は６′を照明部２の凹部１３に対して取り付け固定するための部材であって、本形態においては、既知の上記接着層３３と同じもの（例えば粘着シート）がこれに相当するようになっている。
【００７０  】
上記構成において、オプションスイッチ６又は６′は次のように組み立てられる。先ず、オプション用表シート２７をオプション用スペーサシート２９の表面に接着固定するとともに、オプション用回路体３２をオプション用スペーサシート２９の裏面に接着固定する。次に、これらをオプション用回路体３２側から照明部２の凹部１３に取り付け固定するとともに、外部接続手段３１のコネクタ４１と回路基板９のコネクタ１７とを接続することにより組み立てられる。そして、このように組み立てられたオプションスイッチ６又は６′は、次のように作用する（作用図面は省略する）。
【００７１  】
スイッチ操作前となる押圧部３７に荷重が掛かっていない状態では、押圧部３７自体の保形性によって、その形状が保持された状態にある。そして、スイッチ操作がなされ、押圧部３７がスイッチ操作をする者の指２６（図５（ａ）参照）により矢線方向に押圧されると、押圧部３７が指２６の押圧による荷重に抗しながら、ある荷重を境にして座屈し反転する。押圧部３７が座屈、反転すると下方向の荷重が減少し、押圧部３７の押圧がスムーズに進行する。反転した押圧部３７は更に押し込まれてオプション用スペーサシート２９の貫通孔３８に挿通され、押圧部３７に設けられた可動側の接点２８が貫通孔３８を介してオプション用回路体３２の固定側の接点３０に接触する。
【００７２  】
これにより、オプション用回路体３２の図示しないスイッチ回路が導通状態となり、オプションスイッチ６又は６′はＯＮされる（操作対象となる機能が作動状態になる）。一方、指２６が離され下方向の荷重が解除されると、押圧部３７はもとの状態に復帰する。その後、上記の操作が再度行われると、これに伴って導通状態が解除され、オプションスイッチ６又は６′はＯＦＦされる（作動状態が解除される）。
【００７３  】
尚、スイッチ３やオプションスイッチ６又は６′の構成を次のように変更してもよいものとする。以下、簡単にその構成を説明する。
【００７４  】
図６（ａ）において、スイッチ４２は、照明部２の凹部１２に取り付けられるものであって、ドーム形状の押圧部４３を有する表シート４４と、貫通孔４５を有する第一のスペーサシート４６と、裏面に可動側の接点４７を有するメンブレンシート４８と、貫通孔４９を有する第二のスペーサシート５０と、複数の接着層５１と、回路基板９の一部に組み込まれ、表面に固定側の接点５２を有する回路体５３と、を備えて構成されている（表シート４４及び第一のスペーサシート４６を除いた構成であってもよいものとする。この場合、メンブレンシート４８の平坦な表面が押圧部に相当する）。また、スイッチ４２は、薄型のシート状に形成されている。
【００７５  】
図６（ｂ）において、オプションスイッチ５４は、照明部２の凹部１３に取り付けられるものであって、ドーム形状の押圧部５５を有するオプション用表シート５６と、貫通孔５７を有する第一のオプション用スペーサシート５８と、裏面に可動側の接点５９を有するメンブレンシート６０と、貫通孔６１を有する第二のオプション用スペーサシート６２と、複数の接着層６３と、固定側の接点６４及び外部接続手段（不図示）を有するオプション用回路体６５と、オプション用固定手段６６と、を備えて構成されている（オプション用表シート５６及び第一のオプション用スペーサシート５８を除いた構成であってもよいものとする。この場合、メンブレンシート６０の平坦な表面が押圧部に相当する）。また、オプションスイッチ５４は、薄型のシート状に形成されている。
【００７６  】
以上、図１ないし図７を参照しながら説明してきたように、上述のような薄型シート状のスイッチ３を用いるとともに、そのスイッチ３を照明部２の凹部１２に取り付けることにより、本発明に係るオーバーヘッドユニット１′は、従来よりも薄型のものになることが分かる。また、照明部２の発光体としてＬＥＤ１５を採用することにより、本発明に係るオーバーヘッドユニット１′は、従来よりも一層薄型のものになることが分かる。さらに、機能を付加する必要がある場合であっても、薄型シート状のオプションスイッチ６又は６′を用いることにより、本発明に係るオーバーヘッドユニット１′は、従来よりも一層薄型のものになることが分かる。従って、本発明に係るオーバーヘッドユニット１′は、車両室内空間の圧迫を従来と比べて軽減することができる。
【００７７  】
その他、本発明に係るオーバーヘッドユニット１′は、オプションスイッチ６又は６′の変更のみで車両のグレード対応をすることができる。また、図１のオーバーヘッドユニット１は、オプションスイッチ６又は６′の追加のみで車両のグレード対応をすることができる。従って、機能増加の際の意匠部及び機能部の変更を低減することができる。
【００７８  】
次に、図８及び図９を参照しながらＨｉグレードの車両に取り付けられるオーバーヘッドユニットについて説明する。図８は本発明による照明ユニットの一実施の形態を示すオーバーヘッドユニット（Ｈｉグレード（表示手段あり））の斜視図、図９は図８のＢ−Ｂ線断面図である。
【００７９  】
図８及び図９において、オーバーヘッドユニット７１は、照明部７２とスイッチ７３とオプションスイッチ７４とコンソールボックス７５とを備えて構成されており、車両室内のルーフライナー部７６の前方において下向きに取り付けられている。尚、オプションスイッチ７４は、Ｈｉグレードの車両用としてはじめから取り付けられる他に、必要（機能の付加）に応じて後付けされるものであってもよいものとする。また、コンソールボックス７５の設定は任意であるものとする。
【００８０  】
上記照明部７２は、筐体７７とレンズ７８と回路基板７９とを備えて構成されている。また、照明部７２は、コンソールボックス７５よりもフロントガラスから離れた位置に配設されている。
【００８１  】
筐体７７は、レンズ７８及びコンソールボックス７５を取り付けるために枠状に形成されている。また、筐体７７は、その筐体枠表面８０がルーフライナー部７６の湾曲状態に沿うように湾曲形成されている。このような筐体７７の外周縁部には、ルーフライナー部７６の取り付け開口縁部に対して係止される係止固定部８１が複数形成されている。オーバーヘッドユニット７１は、係止固定部８１によりルーフライナー部７６に固定されるようになっている。
【００８２  】
レンズ７８は、光透過性を有する透明な部材であって、筐体７７の所定位置に固定されている。また、レンズ７８は、ルームランプ及びマップランプ両用のレンズとして設定されている。このようなレンズ７８には、二つの凹部８２及び８３が形成されている。
【００８３  】
凹部８２は、上述のオーバーヘッドユニット１及び１′の凹部１２と同じ部分であり、ここではその説明を省略する。凹部８３は、凹部８２の左右両側に跨って形成されている。また、凹部８３は、オプションスイッチ７４の厚みに合わせて浅底形状に形成されている。凹部８３の底面には、オプションスイッチ７４が固定されるようになっている。
【００８４  】
凹部８３の底面であって凹部８２とコンソールボックス７５との間の部分は、上述の凹部１３の同じ部分よりも幅広に形成されている。このような上記部分には、オプションスイッチ７４の後述する外部接続手段に対する引き出し用の貫通孔８４が形成されている。また、上記部分の裏面には、複数の銘板固定用リブ８５が形成されている。
【００８５  】
銘板固定用リブ８５は、そのリブ先端部分が回路基板７９まで伸びるように形成されている。また、銘板固定用リブ８５のリブ中間部分には、オプションスイッチ７４の後述する表示部を介して機能の作動状況を表示するための銘板８６が固定されている。
【００８６  】
回路基板７９は、適宜間隔を有してレンズ７８に対向するように配置されている。また、回路基板７９は、筐体７７の所定位置に固定されている。このような回路基板７９の上には、特に図示しないが、所望の経路となる電気回路がプリント等によって形成されている。また、回路基板７９の上には、上記電気回路に接続される三つのＬＥＤ８７と、オプションスイッチ７４に係る機能の作動状況を表示するための複数のＬＥＤ８８とが設けられている。
【００８７  】
ＬＥＤ８７は、上述のＬＥＤ１５と同じ位置に配設されており、複数のＬＥＤ８８は、オプションスイッチ７４の後述する表示部の位置に合わせて配設されている。回路基板７９には、スイッチ７３の回路体が一体に組み込まれている。
【００８８  】
回路基板７９には、分岐ハーネス８９等を介して電源の供給や信号の送受がなされている。回路基板７９の下面には、オプションスイッチ７４の後述する外部接続手段に対する接続用のコネクタ９０が設けられている。
【００８９  】
上記スイッチ７３は、薄型シート状のものであって、照明部７２のレンズ７８に形成された凹部８２に取り付けられている。また、スイッチ７３は、上述のスイッチ３と同様に、押圧部を有する表シートと、押圧部の押圧移動に伴って変位する可動側の接点と、可動側の接点に対向して接触し合う固定側の接点を有する回路体と、表シートと回路体との間に介在するとともに可動側の接点と固定側の接点との接触を確保するための貫通孔を形成した一又は複数のスペーサシートとを備えて構成されている。本形態において、スイッチ７３は、上述のスイッチ３と同様に組み立てられるとともに、同様に作用するものとする。
【００９０  】
上記オプションスイッチ７４は、薄型シート状のもの、且つ、照明部７２のレンズ７８に形成された凹部８３に取り付けられるものであって、上述のオプションスイッチ６又は６′と同様に、押圧部９１を有するオプション用表シート９２と、押圧部９１の押圧移動に伴って変位する可動側の接点と、可動側の接点に対向して接触し合う固定側の接点及び外部接続手段９３を有するオプション用回路体と、オプション用表シート９２とオプション用回路体との間に介在するとともに可動側の接点と固定側の接点との接触を確保するための貫通孔を形成した一又は複数のオプション用スペーサシートと、取り付け固定のためのオプション用固定手段（例えば粘着シート）とを備えて構成されている。また、オプションスイッチ７４は、上述のオプションスイッチ６又は６′と異なり、機能の作動状況を表示するための表示手段を更に備えて構成されている。
【００９１  】
上記表示手段について説明すると、その表示手段は、図８中の仮想線で囲まれたエリアＥ２に表示部９４を有している。表示部９４は、光透過性を有する部分であって、その下方には、銘板８６やＬＥＤ８８が設けられている。オーバーヘッドユニット７１は、乗員が表示手段を介して機能の作動状況を容易に把握することができるようになっている。尚、オプションスイッチ７４の組み立て及び作用の説明については省略するものとする。
【００９２  】
以上、図８及び図９を参照しながら説明してきたように、オーバーヘッドユニット７１は、上述のオーバーヘッドユニット１′と同様の効果を奏する。また、上記表示手段によって機能の作動状況を容易に把握することができるという効果も奏する。
【００９３  】
続いて、図１０を参照しながらＨｉグレードの車両に取り付けられるオーバーヘッドユニットについて説明する。図１０は本発明による照明ユニットの一実施の形態を示すオーバーヘッドユニット（Ｈｉグレード（レンズ周辺部分の利用））の斜視図である。
【００９４  】
図１０において、オーバーヘッドユニット１０１は、図１のオーバーヘッドユニット１に対してオプションスイッチ１０２を更に備えて構成されている。尚、オプションスイッチ１０２は、Ｈｉグレードの車両用としてはじめから取り付けられる他に、必要（機能の付加）に応じて図１のオーバーヘッドユニット１に対し後付けされるものであってもよいものとする。
【００９５  】
上記オプションスイッチ１０２は、レンズ８を囲むようなコ字状に形成されており、筐体７の筐体枠表面１０に取り付けられている。また、オプションスイッチ１０２は、薄型シート状のものであって、上述の各種オプションスイッチと同様に、押圧部１０３を有するオプション用表シート１０４と、押圧部１０３の押圧移動に伴って変位する可動側の接点と、可動側の接点に対向して接触し合う固定側の接点及び外部接続手段１０５を有するオプション用回路体と、オプション用表シート１０４とオプション用回路体との間に介在するとともに可動側の接点と固定側の接点との接触を確保するための貫通孔を形成した一又は複数のオプション用スペーサシートと、取り付け固定のためのオプション用固定手段（例えば粘着シート）とを備えて構成されている。
【００９６  】
尚、外部接続手段１０５を引き込むための貫通孔１４（図１参照）は、特に図示しないが、図１の位置の反対側に形成されているものとする。また、コネクタ１７（図４参照）も同様に反対側に設けられているものとする。
【００９７  】
以上、図１０を参照しながら説明してきたように、オーバーヘッドユニット１０１は、上述のオーバーヘッドユニット１′と同様の効果を奏する。尚、オーバーヘッドユニット１０１は、上述のオプションスイッチ６又は６′等を更に備えて構成してもよいものとする。
【００９８  】
続いて更に、図１１ないし図１４を参照しながらＨｉグレードの車両に取り付けられるオーバーヘッドユニットについて説明する。図１１は本発明による照明ユニットの一実施の形態を示すオーバーヘッドユニット（Ｈｉグレード（開閉扉用オプションスイッチあり））の斜視図、図１２は図１１のＣ−Ｃ線断面図、図１３はコンソールボックスの背面側の斜視図、図１４はコンソールボックスの断面図である。
【００９９  】
図１１において、オーバーヘッドユニット１１１は、図１のオーバーヘッドユニット１に対して開閉扉用オプションスイッチ１１２を更に備えて構成されている。尚、開閉扉用オプションスイッチ１１２は、Ｈｉグレードの車両用としてはじめから取り付けられる他に、必要（機能の付加）に応じて図１のオーバーヘッドユニット１に対し後付けされるものであってもよいものとする。
【０１００  】
上記開閉扉用オプションスイッチ１１２は、コンソールボックス４に取り付けられている。具体的には、コンソールボックス４のコンソール本体１１３に対して開閉自在な開閉扉１１４に取り付けられている。本形態において、開閉扉用オプションスイッチ１１２は、開閉扉１１４の扉開時のみの操作が可能となる位置に取り付けられている（この位置に限定されないものとする）。開閉扉用オプションスイッチ１１２は、隠れスイッチタイプに設定されている。開閉扉用オプションスイッチ１１２としては、使用頻度の少ないスイッチ（機能）、例えばエアピュリＡｕｔｏ／Ｏｆｆ・Ｈｉ／Ｌｏｗ、侵入センサＯｆｆ等が一例として挙げられるものとする。
【０１０１  】
開閉扉用オプションスイッチ１１２は、薄型シート状のものであって、上述のオプションスイッチ６又は６′と同様に、押圧部１１５を有する開閉扉用表シート１１６と、押圧部１１５の押圧移動に伴って変位する可動側の接点と、可動側の接点に対向して接触し合う固定側の接点及び外部接続手段１１７を有する開閉扉用回路体と、開閉扉用表シート１１６と開閉扉用回路体との間に介在するとともに可動側の接点と固定側の接点との接触を確保するための貫通孔を形成した一又は複数の開閉扉用スペーサシートと、取り付け固定のための開閉扉用固定手段（例えば粘着シート）とを備えて構成されている。
【０１０２  】
開閉扉用オプションスイッチ１１２の外部接続手段１１７は、開閉扉用回路体の回路体本体から引き出される結線回路部１１８と、その結線回路部１１８の先端部分に設けられるコネクタ１１９とを備えて構成されており、開閉扉１１４の前壁１２０に形成された貫通孔１２１を介して開閉扉１１４の内側に引き込まれている。
【０１０３  】
開閉扉１１４の内側に引き込まれた外部接続手段１１７は、開閉扉１１４の底壁１２２に沿って配索された後、開閉扉１１４の後壁１２３に形成された貫通孔１２４及びコンソール本体１１３に形成された貫通孔１２５を介してオーバーヘッドユニット１１１の内側に引き込まれている。そして、外部接続手段１１７のコネクタ１１９は、回路基板９のコネクタ１７に接続されている。
【０１０４  】
尚、コンソールボックス４における引用符号１２６は、粘着保護部材を示している（図１２参照）。その粘着保護部材１２６は、外部接続手段１１７の結線回路部１１８をコンソール本体１１３に固定するために設けられている。粘着保護部材１２６により、図示しない他の部分への結線回路部１１８の接触等が阻止されている。
【０１０５  】
引用符号１２７、１２７は保護用リブを示している（図１３参照）。その保護用リブ１２７、１２７は、コンソール本体１１３に形成された貫通孔１２５の両側に形成されている。貫通孔１２５から引き出された外部接続手段１１７の結線回路部１１８は、保護用リブ１２７、１２７によりその両側から保護されている。また、保護用リブ１２７、１２７の高さの分だけ外部から保護されている。
【０１０６  】
引用符号１２８は余長吸収部材を示している（図１４参照）。その余長吸収部材１２８は、例えば板バネのような伸縮が自在となる部材であって、開閉扉１１４の開閉に伴う結線回路部１１８の弛みを吸収するために設けられている。余長吸収部材１２８により、扉開閉時の結線回路部１１８の噛み込み等が阻止されている。
【０１０７  】
以上、図１１ないし図１４を参照しながら説明してきたように、オーバーヘッドユニット１１１は、上述のオーバーヘッドユニット１′と同様の効果を奏する。尚、オーバーヘッドユニット１１１は、上述のオプションスイッチ６又は６′等を更に備えて構成してもよいものとする。
【０１０８  】
その他、本発明は本発明の主旨を変えない範囲で種々変更実施可能なことは勿論である。
【０１０９  】
【発明の効果】
以上説明したように、請求項１に記載された本発明によれば、薄型シート状のスイッチを用いることにより、車両室内空間の圧迫を軽減することができるという効果を奏する。
【０１１０  】
請求項２に記載された本発明によれば、照明部に凹部を形成しその凹部にスイッチを取り付けることにより、ユニットをより一層薄型にすることができるという効果を奏する。従って、車両室内空間の圧迫を更に軽減することができるという効果を奏する。
【０１１１  】
請求項３に記載された本発明によれば、照明部の回路基板とスイッチの回路体とを一体化することにより、ユニットを構成する部品の数を削減することができるという効果を奏する。また、部品数の削減に伴って部品の管理も容易にすることができるという効果を奏する。
【０１１２  】
請求項４に記載された本発明によれば、薄型シート状のオプションスイッチを更に備えることにより、ユニットの厚みへの影響を軽減しつつ機能の増加を図ることができるという効果を奏する。
【０１１３  】
請求項５に記載された本発明によれば、薄型シート状のオプションスイッチを用いることにより、機能の増加を図った場合でも、車両室内空間の圧迫を軽減することができるという効果を奏する。
【０１１４  】
請求項６に記載された本発明によれば、機能の増加を図るために、オプションスイッチの取り付け固定位置を照明部のレンズに設定することができるという効果を奏する。
【０１１５  】
請求項７に記載された本発明によれば、機能の増加を図るために、オプションスイッチの取り付け固定位置を照明部のレンズの周辺部分に設定することができるという効果を奏する。
【０１１６  】
請求項８に記載された本発明によれば、オプションスイッチに表示手段を一体的に設けることにより、その表示手段を介して、乗員が機能の作動状況を容易に把握することができるという効果を奏する。
【０１１７  】
請求項９に記載された本発明によれば、後付けすることが可能なオプションスイッチを用いることにより、機能増加の際の意匠部及び機能部の変更を低減することができるという効果を奏する。
【０１１８  】
請求項１０に記載された本発明によれば、薄型シート状の開閉扉用オプションスイッチを更に備えることにより、ユニットの厚みへの影響を軽減しつつ機能の増加を図ることができるという効果を奏する。
【０１１９  】
請求項１１に記載された本発明によれば、薄型シート状の開閉扉用オプションスイッチを用いることにより、機能の増加を図った場合でも、車両室内空間の圧迫を軽減することができるという効果を奏する。
【０１２０  】
請求項１２に記載された本発明によれば、開閉扉用オプションスイッチを隠れスイッチタイプにすることにより、機能の増加に伴う例えば使用頻度の低いスイッチに対応した設定をすることができるという効果を奏する。
【０１２１  】
請求項１３に記載された本発明によれば、後付けすることが可能な開閉扉用オプションスイッチを用いることにより、機能増加の際の意匠部及び機能部の変更を低減することができるという効果を奏する。
【０１２２  】
請求項１４に記載された本発明によれば、照明部の発光体にＬＥＤを採用することにより、車両室内空間の圧迫をより一層軽減することができるという効果を奏する。
【図面の簡単な説明】
【図１】本発明による照明ユニットの一実施の形態を示すオーバーヘッドユニット（標準グレード）の斜視図である。
【図２】本発明による照明ユニットの一実施の形態を示すオーバーヘッドユニット（Ｈｉグレード）の斜視図である。
【図３】図２のオプションスイッチのバリエーションに対する説明図である。
【図４】図２のＡ−Ａ線断面図である。
【図５】（ａ）はスイッチの断面図、（ｂ）はオプションスイッチの断面図である。
【図６】（ａ）は他の例のスイッチの断面図、（ｂ）は他の例のオプションスイッチの断面図である。
【図７】オプションスイッチの外部接続手段に対する説明図である。
【図８】本発明による照明ユニットの一実施の形態を示すオーバーヘッドユニット（Ｈｉグレード（表示手段あり））の斜視図である。
【図９】図８のＢ−Ｂ線断面図である。
【図１０】本発明による照明ユニットの一実施の形態を示すオーバーヘッドユニット（Ｈｉグレード（レンズ周辺部分の利用））の斜視図である。
【図１１】本発明による照明ユニットの一実施の形態を示すオーバーヘッドユニット（Ｈｉグレード（開閉扉用オプションスイッチあり））の斜視図である。
【図１２】図１１のＣ−Ｃ線断面図である。
【図１３】コンソールボックスの背面側の斜視図である。
【図１４】コンソールボックスの断面図であり、（ａ）は開閉扉の開時の断面図、（ｂ）は閉時の断面図である。
【図１５】従来例のオーバーヘッドユニットの斜視図である。
【図１６】従来例のオーバーヘッドユニット（Ｈｉグレード）の斜視図である。
【図１７】図１６のオーバーヘッドユニットの断面図である。
【図１８】従来例（他の例）のオーバーヘッドユニットの分解斜視図である。
【符号の説明】
１、１′  オーバーヘッドユニット（照明ユニット）
２  照明部
３、４２  スイッチ
４  コンソールボックス
６、６′、５４  オプションスイッチ
８  レンズ
９  回路基板
１２  凹部
１５  ＬＥＤ
１８、４４  表シート
１９、４７  可動側の接点
２０、４６、５０  スペーサシート
２１、５２  固定側の接点
２２、５３  回路体
２４、４３  押圧部
２５、４５、４９  貫通孔
２７、５６  オプション用表シート
２８、５９  可動側の接点
２９、５８、６２  オプション用スペーサシート
３０、６４  固定側の接点
３１  外部接続手段
３２、６５  オプション用回路体
３４  オプション用固定手段
３７、５５  押圧部
３８、５７、６１  貫通孔
７１、１０１  オーバーヘッドユニット（照明ユニット）
７２  照明部
７３  スイッチ
７４、１０２  オプションスイッチ
７５  コンソールボックス
７８  レンズ
７９  回路基板
８２  凹部
８５  銘板固定用リブ（表示手段）
８６  銘板（表示手段）
８７  ＬＥＤ
８８  ＬＥＤ（表示手段）
９１、１０３  押圧部
９２、１０４  オプション用表シート
９３、１０５  外部接続手段
９４  表示部（表示手段）
１１１  オーバーヘッドユニット（照明ユニット）
１１２  オプションスイッチ
１１４  開閉扉
１１５  押圧部
１１６  開閉扉用表シート
１１７  外部接続手段
【図１】
2004276876.tif 000003
【図２】
2004276876.tif 000004
【図３】
2004276876.tif 000005
【図４】
2004276876.tif 000006
【図５】
2004276876.tif 000007
【図６】
2004276876.tif 000008
【図７】
2004276876.tif 000009
【図８】
2004276876.tif 000010
【図９】
2004276876.tif 000011
【図１０】
2004276876.tif 000012
【図１１】
2004276876.tif 000013
【図１２】
2004276876.tif 000014
【図１３】
2004276876.tif 000015
【図１４】
2004276876.tif 000016
【図１５】
2004276876.tif 000017
【図１６】
2004276876.tif 000018
【図１７】
2004276876.tif 000019
【図１８】
2004276876.tif 000020